(57)【要約】【課題】玄関先での履物の脱ぎ履き動作が安定した状態で行うことができ、かつ脱いだ履物を効率よく収納できる履物収納装置を提供する。【解決手段】スライド板３は、基台１の一端側へ引き出されて乗込み荷重が加わると基台１の天板６と接触して制動力が働いて固定され、乗込み荷重を除去するとガイド９との滑動性を保って他端側へスライドする。【選択図】図２
2006141691.tif 000002
【特許請求の範囲】
【請求項１】
一端側が玄関の土間に配置され他端側が下駄箱下の空いたスペースに配置される基台と、
前記基台に設けられたガイドに沿って一端側と他端側との間をスライドするスライド板と、
非使用時に他端側に収納されるスライド板を使用時に一端側へ引き出すための引出し機構を具備し、
スライド板は、基台の一端側へ引き出されて乗込み荷重が加わると基台の天板と接触して制動力が働いて固定され、乗込み荷重を除去するとガイドとの滑動性を保って他端側へスライドすることを特徴とする履物収納装置。
【請求項２】
基台は設置面を基準にして一端側が他端側より高く設置され、一端側で固定されたスライド板の乗込み荷重が除去されると、スライド板は自重により他端側へ移動して下駄箱下に収納されることを特徴とする請求項１記載の履物収納装置。
【請求項３】
基台の一端側及び他端側には、スライド板の先端を受けるダンパーが設けられていることを特徴とする請求項１記載の履物収納装置。
【請求項４】
スライド板の裏面にはライニング材が設けられており、該スライド板はライニング材が天板と離間してスライドし、ライニング材と天板が密着して生じる摩擦力により制動力が作用することを特徴とする請求項１記載の履物収納装置。
【請求項５】
スライド板には乗込み荷重検出機構が設けられ、スライド板が移動する際にライニング材を天板より離間させ、乗込み荷重が加わるとライニング材が天板に密着するようになっていることを特徴とする請求項４記載の履物収納装置。
【請求項６】
引出し機構は、基台の一端側に設けられたペダルの回転によりリンクを進退させてスライド板を一端側へ引き寄せることを特徴とする請求項１記載の履物収納装置。
【請求項７】
スライド板は基台の一端側に設けられる天板上に移動するとラッチする保持手段が設けられていることを特徴とする請求項１記載の履物収納装置。
【請求項８】
一端側が玄関の土間に配置され他端側が下駄箱下の空いたスペースに配置される基台と、
基台の一端側或いは外部に設けられる操作スイッチと、
操作スイッチにより正逆回転駆動可能な駆動源と、
駆動源により回転駆動され基台の長手方向に設けられる無端状のベルト駆動機構と、
ベルトに連繋して基台の一端側と他端側との間をスライドするスライド板と、
スライド板の移動を検出する位置検出部と、
位置検出部の検出信号に基づいて駆動源の回転駆動を制御する制御部を具備し、
制御部は、位置検出部がスライド板の移動を検出すると、駆動源の回転駆動に制動を加えてスライド板を基台端部で停止させることを特徴とする履物収納装置。
【請求項９】
スライド板は、基台との接触面に設けられた摺動部材を通じて滑動性を保ってスライドし、乗込み荷重が加わるとスライド板の下面と基台上面とが接触して制動力が作用することを特徴とする請求項８記載の履物収納装置。
【請求項１０】
制御部はタイマーによりスライド板が一端側に一定時間停止したことを計測すると、モータを逆回転駆動させてスライド板を後退させることを特徴とする請求項８記載の履物収納装置。
【請求項１１】
請求項８のベルト駆動機構に代えて駆動源の正逆回転に連繋して伸縮可能なリンク機構と、
リンク機構の先端に連繋して基台の一端側と他端側との間をスライドするスライド板と、
一端側がスライド板に固定され他端側が巻取りロールに巻き取り可能に巻付けられるカバーを備え、
カバーは常時巻取りロール側に巻き込まれるように付勢されており、駆動源を起動してスライド板の一端側への引き出しに伴ってリンク機構を覆って繰り出されることを特徴とする請求項８記載の履物収納装置。
【請求項１２】
操作スイッチはフットスイッチであり、歩行方向と交差する向きにスライドするスライドスイッチであることを特徴とする請求項８記載の履物収納装置。
【請求項１３】
操作スイッチは、判定時間内で２度押しすることにより駆動源を起動することを特徴とする請求項８記載の履物収納装置。
【請求項１４】
請求項８の操作スイッチに代えて、下駄箱の一部に設けられた送信部と基台に設けられた受信部の送受信により駆動源を起動するようになっていることを特徴とする請求項８記載の履物収納装置。
【請求項１５】
送信部への入力はＩＤコードにより行われることを特徴とする請求項１４記載の履物収納装置。
【請求項１６】
スライド板は手前側スライド板と奥側スライド板とが中途で屈曲可能に連繋しており、  基台にはスライド板が奥側へ移動すると奥側スライド板を上方に折り曲げて収納されることを特徴とする請求項８記載の履物収納装置。
【発明の詳細な説明】
【技術分野】
【０００１】
本発明は、例えば一般住宅、病院、温泉旅館などの玄関の土間に一端側が配置され他端側が下駄箱下の空いたスペースに配置され、一端側に引き出されたスライド板に乗り込んで履物を脱ぎ履きした後、スライド板を下駄箱下へ収納することができる履物収納装置に関する。
【背景技術】
【０００２】
近年の一般住宅おいては、西欧化が進み、畳中心の和室が減り、洋間が増えるのにともない玄関もコンパクトに設計されている。玄関が狭くなったため、脱いだ靴は据え付けられた下駄箱などの収納家具へ収納するように設計されている。
また、病院、温泉旅館、老人ホームなどの大型施設においては、バリアフリー化も進んではいるが、院内若しくは館内の清浄化を維持するためには、玄関先で下履きから上履きに履き替えることが多い。
【０００３】
ところで、急速に高齢化社会に移行しつつある我が国においては、高齢者、足腰が不自由な身障者、けが人、ぎっくり腰などの病人、妊婦（以下「高齢者等」という）が全体として増えており、これらの高齢者等が玄関先で履物を脱いで框に上がり、背を丸めて足位置より低い履物を取って持ち上げることは、健常者にとっても足腰に負担がかかり、ましてや高齢者等にとっては足腰に過度の負担がかかり、苦痛を伴う場合が多い。
かかる課題を解決するため、履物を容易に出し入れできる履物自動出入装置が提案されている。この装置は、ラックが形成された履物載置台の当該ラックに噛合するピニオンを回転駆動することにより床下内外に出し入れするようになっている。利用者は、土間に引き出された履物載置台に載って履物を脱いで框に上がることで履物載置台が床下へ自動的に収納されるようになっている（特許文献１参照）。
【特許文献１】特開平７−３１３２７０号公報
【発明の開示】
【発明が解決しようとする課題】
【０００４】
しかしながら、上述した履物自動出入装置（特許文献１）においては、履物載置台で靴を片足ずつ脱いで一方の足は載置台に残したまま他方の足から框に昇る必要があり、段差を昇る動作が必要となるため、上がり下がりの動作が特に高齢者等には負担になる。また、片足を載置台に残したまま他方の足から框に昇る動作は、一時的に不安定となり易く、高齢者等には転倒のおそれがある。
【０００５】
本発明はこれらの課題を解決すべくなされたものであり、その目的とするところは、玄関先での履物の脱ぎ履き動作が安定した状態で行うことができ、かつ脱いだ履物を効率よく収納できる履物収納装置を提供することにある。
【課題を解決するための手段】
【０００６】
本発明は上記目的を達成するため、次の構成を備える。
一端側が玄関の土間に配置され他端側が下駄箱下の空いたスペースに配置される基台と、前記基台に設けられたガイドに沿って一端側と他端側との間をスライドするスライド板と、非使用時に他端側に収納されるスライド板を使用時に一端側へ引き出すための引出し機構を具備し、スライド板は、基台の一端側へ引き出されて乗込み荷重が加わると基台の天板と接触して制動力が働いて固定され、乗込み荷重を除去するとガイドとの滑動性を保って他端側へスライドすることを特徴とする。
また、基台は設置面を基準にして一端側が他端側より高く設置され、一端側で固定されたスライド板の乗込み荷重が除去されると、スライド板は自重により他端側へ移動して下駄箱下に収納されることを特徴とする。
また、基台の一端側及び他端側には、スライド板の先端を受けるダンパーが設けられていることを特徴とする。
また、スライド板の裏面にはライニング材が設けられており、該スライド板はライニング材が天板と離間してスライドし、ライニング材と天板が密着して生じる摩擦力により制動力が作用することを特徴とする。この場合、スライド板には乗込み荷重検出機構が設けられ、スライド板が移動する際にライニング材を天板より離間させ、乗込み荷重が加わるとライニング材が天板に密着するようになっていることを特徴とする。
また、引出し機構は、基台の一端側に設けられたペダルの回転によりリンクを進退させてスライド板を一端側へ引き寄せることを特徴とする。
また、スライド板は基台の一端側に設けられる天板上に移動するとラッチする保持手段が設けられていることを特徴とする。
【０００７】
他の手段としては、一端側が玄関の土間に配置され他端側が下駄箱下の空いたスペースに配置される基台と、基台の一端側或いは外部に設けられる操作スイッチと、操作スイッチにより正逆回転駆動可能な駆動源と、駆動源により回転駆動され基台の長手方向に設けられる無端状のベルト駆動機構と、ベルトに連繋して基台の一端側と他端側との間をスライドするスライド板と、スライド板の移動位置を検出する位置検出部と、位置検出部の検出信号に基づいて駆動制御を行う制御部を具備し、制御部は、位置検出部がスライド板を検出すると、駆動源の回転駆動に制動を加えてスライド板を基台端部で停止させることを特徴とする。
また、スライド板は、基台との接触面に設けられた摺動部材を通じて滑動性を保ってスライドし、乗込み荷重が加わるとスライド板の下面と基台上面とが接触して制動力が作用することを特徴とする。
また、制御部はタイマーによりスライド板が一端側に一定時間停止したことを計測すると、モータを逆回転駆動させてスライド板を後退させることを特徴とする。
また、上記ベルト駆動機構に代えて駆動源の正逆回転に連繋して伸縮可能なリンク機構と、リンク機構の先端に連繋して基台の一端側と他端側との間をスライドするスライド板と、一端側がスライド板に固定され他端側が巻取りロールに巻き取り可能に巻付けられるカバーを備え、カバーは常時巻取りロール側に巻き込まれるように付勢されており、駆動源を起動してスライド板の一端側への引き出しに伴ってリンク機構を覆って繰り出されることを特徴とする。
また、操作スイッチはフットスイッチであり、歩行方向と交差する向きにスライドするスライドスイッチであることを特徴とする。
また、操作スイッチは、判定時間内で２度押しすることにより駆動源を起動することを特徴とする。
また、操作スイッチに代えて、下駄箱の一部に設けられた送信部と基台に設けられた受信部の送受信により駆動源を起動することを特徴とする。この場合、送信部への入力はＩＤコードにより行われることを特徴とする。
また、スライド板は手前側スライド板と奥側スライド板とが中途で屈曲可能に連繋しており、基台にはスライド板が奥側へ移動すると奥側スライド板を上方に折り曲げて収納されることを特徴とする。
【発明の効果】
【０００８】
上述した履物収納装置を用いれば、引き出し機構により基台に一端側へ引き出されたスライド板に利用者が直接乗り込み、乗込み荷重が加わると基台の天板と接触して制動力が働いて固定される。よって、利用者はスライド板上で履物の脱ぎ履き動作を安定した状態で行うことができる。また、脱いだ履物は利用者がスライド板より降りて乗込み荷重を除去すると基台の他端側へガイドとの滑動性を保ってスライドするので、脱いだ履物を効率よく収納できる。また、スライド板が移動した後の天板部分は通路として利用でき、框と基台を近接して設置することで、段差をできるだけ解消した通路を形成して框へ移動することができる。
基台は設置面を基準にして一端側が他端側より高く設置され、スライド板に乗り込んで履物を脱いで天板へ降りると、スライド板は自重で他端側へ移動して下駄箱下へ収納されるようにすると、スライド板を他端側に戻す動作が自重により行われるので履物のしまい忘れをなくし使い勝手が良くなる。
また、基台の一端側及び他端側には、スライド板の先端を受けるダンパーが設けられていることにより、スライド板の基台の移動端におけるバウンドを防ぐことができる。
また、スライド板の裏面にはライニング材が設けられており、該スライド板はライニング材が天板と離間してスライドし、ライニング材と天板が密着して生じる摩擦力により制動力が作用するので、移動時のスライド板の滑動性と利用者がスライド板に乗り降りする際の制動性の要求を簡易な構成により満たすことができる。
【０００９】
他の構成として、基台の一端側に設けられる操作スイッチの入力により駆動源を起動させてベルト駆動機構を正逆回転駆動し、無端状のベルトに連繋してスライド板が基台の一端側と他端側との間をスライドするようになっており、制御部は位置検出部がスライド板の移動を検出すると、駆動源の回転駆動に制動を加えてスライド板を基台端部で停止させる。かかる構成により、基台を玄関の土間と下駄箱下の空いたスペースへ配置することにより、スイッチ操作でスライド板を土間に移動させて乗り込んで履物を脱ぎ、基台のスイッチ操作でスライド板を下駄箱下の空いた空間へ移動させて収納できる。よって、玄関先での履物の脱ぎ履き動作が平坦なスライド板の上で安定した状態で行うことができ、かつ脱いだ履物を効率よく収納できる。
また、スライド板は、基台との接触面に設けられた摺動部材を通じて滑動性を保ってスライドし、乗込み荷重が加わるとスライド板の下面と基台上面とが接触して制動力が生じて固定されるので、スライド板の移動する際の滑動性と利用者がスライド板に乗り降りする際の制動性の要求を簡易な機構により満たすことができる。
また、制御部はタイマーによりスライド板が一端側に一定時間停止したことを計測すると、モータを逆回転駆動させてスライド板を後退させることにより、履物を脱いだ後或いは履いた後、操作スイッチを操作しなくてもスライド板を下駄箱下へ収納することができる。
また、ベルト駆動機構に代えて駆動源の正逆回転に連繋して伸縮可能なリンク機構を用い、リンク機構の先端に連繋して基台の一端側と他端側との間をスライド板がスライドするようにすると、基台の厚さを薄くすることができる。
また、一端側がスライド板に固定され他端側が巻取りロールに巻き取り可能に巻付けられるカバーを備え、カバーは常時巻取りロール側に巻き込まれるように付勢されており、駆動源を起動してスライド板の一端側への引き出しに伴ってリンク機構を覆って繰り出されるようにすると、リンク機構への挟み込みを防ぎ塵埃や異物の侵入による誤動作を防ぐことができる。
また、操作スイッチはフットスイッチであり、歩行方向と交差する向きにスライドするスライドスイッチとすることで、歩行時の誤動作を防ぐことができる。
また、操作スイッチは判定時間内で２度押しすることにより駆動源を起動するようにすると、不用意な接触による誤動作を確実に防ぐことができる。
また、操作スイッチに代えて、下駄箱の一部に設けられた送信部と基台に設けられた受信部の送受信により、駆動源を駆動操作するようになっていることを特徴とする。これにより、入力信号が利用者や下駄箱を避けて確実に送受信が行え、スライド板が送受信の妨げになることもない。送信部への入力はＩＤコードにより行われると、複数の履物収納装置を並設してもリモコン操作による誤動作は生じない。
また、スライド板は手前側スライド板と奥側スライド板とが中途で屈曲可能に連繋しており、基台にはスライド板が奥側へ移動すると奥側スライド板を上方に折り曲げて収納される場合には、下駄箱の奥行きがスライド板の全長に比べて短い場合にも下駄箱下の空いたスペースに履物を収納することができる。
【発明を実施するための最良の形態】
【００１０】
以下、本発明に係る履物収納装置の最良の実施形態について、添付図面を参照しながら説明する。本願発明は玄関の框に連続する土間と下駄箱下の空いた空間を利用して設置できる履物収納装置に広く適用することができる。
【００１１】
[第１実施例]
先ず、図１乃至図５を参照して、履物収納装置の概略構成について説明する。
図１は、履物収納装置のレイアウト構成を示す。装置本体である基台１は例えば一端側が玄関の土間に配置され他端側が下駄箱２の下方の空いたスペースに長手方向を向けて配置される。下駄箱２は、框の高さに合わせて設置されることが多く、下方に空いた空間部分が形成される場合が多いからである。基台１にはスライド板３が一端側と他端側との間をスライド可能に設けられている。基台１に接続するスノコ板４を設けてもよいし、装置を複数台併設しても良く、框につながる歩行スペースとして利用でき、段差のない玄関を構築することができる。利用者５は、基台１の一端側においてスライド板３に乗り込んで履物を脱いだり履いたりすることができる。
【００１２】
以下、履物収納装置の具体例について図２乃至図５を参照して説明する。
図２において、基台１は設置面を基準にして一端側の高さが他端側より高く設置される。高さ調整は、一端側及び他端側に２箇所ずつ設けられたアジャストスクリュー１８を回転させてロッド高さを調整して行われる。アジャストスクリュー１８は、天板６に穴を開けて、高さ調整ねじ１８ａにより高さを調整できるようにしても良い（図５参照）。他の構成としては、基台１の底面に高さ調整駒を設けるか或いは基台１の厚さが傾斜面を形成しても良い。傾斜角は任意であるが安全性とスライド板のスライド動作が両立する角度範囲（３％〜５％程度）を想定している。この基台１の傾斜により、利用者５がスライド板３に乗り込んで履物を脱いで天板６へ降りると、スライド板３は自重で他端側へ移動して履物が収納されるようになっている。天板６の材質は任意であるが、利用者の歩行路の一部を形成することから木製板などが用いられる。
【００１３】
図４において、基台１には、非使用時に他端側に収納されたスライド板３を使用時に一端側へ引き出すための引出し機構が設けられている。具体的には、基台１の一端側にペダル７が設けられている。ペダル７の回転はリンク８の進退動に変換されてスライド板３の端部を前進レバー１７により押動して一端側へ引き寄せるようになっている。図２において、スライド板３は基台１の一端側に設けられる天板６上に移動すると保持手段（例えばマグネット、ラチェットなどの保持機構）１４ａによりラッチして移動停止するようになっている。保持手段１４ａは、スライド板３への押動やフットレバー操作などの解除手段１４ｂにより解除できるようになっている。
【００１４】
また、図３において、スライド板３は、乗込み荷重が加わると基台１の天板６と接触して制動力（摩擦力）により固定され、乗込み荷重を除去すると両側ガイド９（図４参照）との滑動性を保ってスライドする。スライド板３の裏面にはライニング材１０が設けられており、該スライド板３はライニング材１０が天板６と離間してスライドし、ライニング材１０と天板６が密着して生じる摩擦力により制動力が作用する。スライド板３は乗込み荷重検出機構が設けられ、基台１の長手方向に移動する際にライニング材１０を天板６より離間させて滑動性を保つようになっている。即ち、スライド板３には回動アーム１１の一端が支点１１ａを中心に回動可能に接続されている。この回動アーム１１の他端にはローラ１２が回転自在に取り付けられている。回動アーム１１とスライド板３との間にはコイルバネ１３が弾装されており、回動アーム１１を常時ローラ１２が基台１に当接して回転するように図２の時計回り方向へ付勢している。スライド板３に利用者５が乗り込んで過負荷が加わると回動アーム１１がコイルバネ１３の付勢力に抗して支点１１ａを中心に反時計回り方向へ回転し、ライニング材１０が天板６に密着すると制動力が働くようになっている。図２において、基台１にはスライド板３の移動端において停止する際の跳ね返りを防ぐため、衝撃吸収材（ダンパー）１６を設けるのが望ましい。
【００１５】
また、他の構成としては、図５において、スライド板３の両側面にローラ３ｃが片側２箇所ずつ合計４箇所に回転自在に軸支されている。スライド板３の両側には袋状（断面コ字状）の溝部３ａが設けられており、該溝部３ａは基台１の両側に設けられたレール１５ａに嵌め込まれている。また、ローラ３ｃはレール１５ａと平行に設けられたガイド１５ｂ上を転動するようになっている。この場合、レール１５ａとガイド１５ｂの長手方向両端（基台１の一端側及び他端側）には、スライド板３の端部を受けるダンパー１６が設けられている。尚、スライド板３はローラ３ｃに代えて溝部３ａに摺動テープなどを貼着してレール１５ａとの滑動性を維持して摺動するようにしてもよい。また、スライド板３は金属板、樹脂板、木製板など材質のいかんは問わず、プレート面には補強用の凹凸加工が施されていても良い。スライド板３の裏面側にはライニング材１０が貼着されているのは、図２と同様である。
【００１６】
図１において、利用者５は、基台１の一端側（手前側）のペダル７を踏むことで、スライド板３を前進レバー１７により押動して手前側に引き寄せる。基台１は手前側が奥側より高くなっているので、基台１にラッチされて停止している。スライド板３に利用者５が乗り込むと、ライニング材１０と天板６との密着により制動が作用した状態で履物を脱ぐ（履く）ことができる。利用者５は、スライド板３より天板６或いは框へ下りて（土間におりて）スライド板３のラッチを解除すると、基台１の傾斜を利用してスライド板３が履物を乗せたまま（空のまま）基台１の他端側へ移動して下駄箱２の下方の空間に収納される。
【００１７】
上記履物収納装置を用いれば、利用者５がスライド板３に乗り込むことで制動力が働いた安定した状態で履物を脱ぎ履きすることができ、しかもスライド板３を効率よく下駄箱２の下方へ収納できる。また、スライド板３が移動した後の天板６は通路として利用でき、框と基台１を近接して設置することで、段差の少ない通路を形成して利用者５の負担を軽減することができる。
【００１８】
[第２実施例]
次に、履物収納装置の他例について図６を参照して説明する。
第１実施例と同一部材には同一番号を付して説明を援用するものとし、異なる構成を中心に説明する。基台１は一端側が玄関の土間に配置され他端側が下駄箱２の下方の空いたスペースに配置される点は同様であるが、基台１は設置面と平行に設けられる。基台１の一端側には操作スイッチ１９が設けられている。基台１の他端側には、操作スイッチ１９により正逆回転駆動可能な駆動源（ブラシレスモータ、リニアモータなどのモータ）２０や制御部２７が天板６の上側に設けられている。モータ２０や制御部２７を天板６上の端部近傍に設けることで、基台１の厚さを低くでき、スライド板３との干渉を避けることでスライド板３を下駄箱下の空き空間に完全に収納することができる。
【００１９】
また、基台１の一端側と他端側との間にはモータ２０によって回転駆動されるベルト駆動機構２１が設けられている。ベルト駆動機構２１は、駆動プーリ２２ａ、従動プーリ２２ｂ間に無端状のタイミングベルト２３が架設されている。このベルト２３にスライド板３の一部が連繋して基台１の一端側と他端側との間をスライドするようになっている。天板６にはスライド板３の連繋部３ｂがスライドするスリット状のガイド溝６ａが形成されている。スライド板３と天板６との接触面には摺動部材２４が貼り付けられており、天板６との滑動性を維持するようになっている。摺動部材２４を設ける箇所は任意であるが、少なくともスライド板３の両側と中央部の３箇所あれば滑動性を維持でき、利用者が乗り込む際の押圧変形による接触力により制動を得ることができる。
【００２０】
基台１には、スライド板３の移動を検出するリミットスイッチ（位置検出部）２５、２６が設けられている。制御部２７はリミットスイッチ２５、２６の検出信号に基づいてモータ２０の駆動制御を行う。具体的には、制御部２７は、リミットスイッチ２５、２６がスライド板３を検出すると、モータ２０の回転駆動に制動（ショートブレーキ）を加えてスライド板３を基台端部で停止させるようになっている。これにより、基台１の両端位置でスライド板３が停止する際の慣性力によるショックを和らげることができる。
【００２１】
また、スライド板３は、基台１との接触面に設けられた摺動部材２４を通じて滑動性を保ってスライドし、乗込み荷重が加わるとスライド板３の下面と基台上面（天板６）とが密着して摩擦力により固定されるようになっている。スライド板３の下面にはライニング材１０が貼着されている（図６では省略）が、スライド板３と天板６との接触力（摩擦力）で制動が働くようになっていても良い。制御部２７はタイマーによりスライド板３が一端側に一定時間停止したことを計測すると、モータ２０を逆回転駆動させてスライド板３を後退させるようになっている。これにより、通常はスライド板３が下駄箱２の下方に収納された状態で保持され、スライド板３のしまい忘れを防ぐことができる。
【００２２】
[第３実施例]
次に、履物収納装置の他例について図７を参照して説明する。
第２実施例と同一部材には同一番号を付して説明を援用するものとし、異なる構成を中心に説明する。本実施例は、図６のベルト駆動機構２１に代えてモータ２０の正逆回転に連繋して伸縮可能なリンク機構２８が設けられている。リンク機構２８は、互いに回動自在に交差する可動リンク３０ａと固定リンク３０ｂが複数連続して構成される。モータ２０のモータ軸２０ａにねじ嵌合して移動する移動体２９に可動リンク３０ａが連結され、固定リンク３０ｂは基台１に固定されている。可動リンク３０ａと固定リンク３０ｂの先端はスライド板３に連繋している。上記リンク機構２８を用いることで、基台１の内部に駆動機構を設ける必要がないので基台１の厚さを薄くすることができる。
【００２３】
また、基台１の他端側には巻取りロール３１が設けられており長尺状のカバー３２が巻き取られている。カバー３２の一端はスライド板３に連結されており、他端側が巻取りロール３１に巻き取られる。カバー３２は常時巻取りロール３１側に巻き取られるように付勢されている。モータ２０を起動してスライド板３の一端側への引き出しに伴ってカバー３２はガイドローラ３３に案内されてリンク機構２８を覆って基台１と平行に繰り出される。スライド板３の引き出しと共にカバー３２を繰り出すことで、リンク機構２８への挟み込みを防ぎ塵埃や異物の侵入による誤動作を防ぐことができる。
【００２４】
尚、第２、第３実施例において、図８のように、基台１の一端側に設けられる操作スイッチ１９は、スライドスイッチの場合には、歩行方向と交差する向きにスライドすることが誤動作防止のためには好ましい。また、操作スイッチ１９が押動するフットスイッチ(図示せず)である場合には、判定時間内で２度押しによりモータ２０を起動するようにすることが誤動作防止のためには好ましい。
【００２５】
また、図９（ａ）（ｂ）において、下駄箱２に水平方向に突設された手摺り３４を支持する支持部３４ａに操作スイッチ１９を設けても良い。この場合には、利用者がスライド板３に乗り込む際に、基台１に設けられる操作スイッチを踏むことによる誤動作は生じない。また、手摺り３４に掴まることによる誤動作が生ずることもない。
【００２６】
また、図１０において、操作スイッチ１９に代えて、下駄箱２の一部に設けられた送信部３５と基台１に設けられた受信部３６の送受信により、モータ２０を起動するようにしても良い。利用者５がスライド板３に乗り込む位置は、リモコン送受信位置よりシフトしているので、送受信が確実に行える。受信部３６は、基台１の中央部か下駄箱２の前縁部下方に相当する位置であるので、利用者５の天板６の歩行による影響は受け難い。リモコン方式の場合、履物収納装置を複数台並べて置いた場合に、他の装置を起動する誤動作が懸念されるが、送信部３５への入力はＩＤコードにより行うことで誤動作を回避することができる。
【００２７】
また、図１１及び図１２において、スライド板３は１枚の板材に限らず、手前側スライド板３７と奥側スライド板３８とが中途で屈曲可能に連繋していても良い。具体的には図１１のように手前側スライド板３７と奥側スライド板３８とがヒンジ３９により回動可能に連繋していても良いし、単にスライド板３の可撓性により折れ曲がる（湾曲する）構造であっても良い。
【００２８】
図１１において、基台１の奥側（下駄箱２側）には、奥側スライド板３８が奥側へ移動するとヒンジ３９を中心に回動して折れ曲がるようにガイドする折曲げガイド４０が設けられている。図１１の手前側スライド板３７に利用者が乗り込んで履物を脱いだ後、スイッチ操作により駆動源を起動するとスライド板３７及び３８が奥側へ移動する。このとき、図１２において、奥側スライド板３８は折曲げガイド４０によって奥側端部が上方に案内されてヒンジ３９を中心に回転して折り曲げられ、手前側スライド板３７は下駄箱２の下方へ履物をのせたまま収納される。
このように、スライド板３を下駄箱２下へ収納する場合に、奥側スライド板３８が折曲げられるので、下駄箱２の奥行きがスライド板３の全長より小さい場合にも履物を手前側スライド板３７に載置したまま収納でき、基台１の長さやスライド板３の大きさ縮小して装置全体を小型化することができる。
【００２９】
以上の実施例では、履物をスライド板３で脱ぐ（履く）場合について説明したが、予めスライド板３に上履き（スリッパ、サンダルなど）を載せておくことで、スライド板３に乗り込んだ状態で履き替えをするようにしても良い。
【００３０】
また、基台１の天板６はスライド板３から乗り降りする足場として利用するため、布材が貼着されていても良い。スライド板３の材質は任意であるが、利用者が乗り込んで耐え得る強度と、制動力を生じさせるための接触力を得るため下方に撓み易い厚さ（例えば３ｍｍ程度）の板材が用いられる。また、図５において基台１どうしを連結する連結板４１が設けられていても良い。
【図面の簡単な説明】
【００３１】
【図１】履物収納装置のレイアウト例を示す模式平面図である。
【図２】第１実施例に係る履物収納装置の正面図である。
【図３】スライド板の部分説明図である。
【図４】引出し機構の説明図である。
【図５】他例に係る履物収納装置の斜視図である。
【図６】第２実施例に係る履物収納装置の斜視図である。
【図７】第３実施例に係る履物収納装置の斜視図である。
【図８】操作スイッチの一例を示す説明図である。
【図９】他例に係る操作スイッチのレイアウトを示す平面図及び正面図である。
【図１０】リモコンスイッチの構成を示す説明図である。
【図１１】スライド板の他例を示す説明図である。
【図１２】図１１のスライド板の収納状態を示す説明図である。
【符号の説明】
【００３２】
１  基台
２  下駄箱
３  スライド板
３ａ  溝部
３ｂ  連繋部
３ｃ、１２  ローラ
４  スノコ板
５  利用者
６  天板
７  ペダル
８  リンク
９、１５ｂ  ガイド
１０  ライニング材
１１  回動アーム
１３  コイルバネ
１４ａ  保持手段
１４ｂ  解除手段
１５ａ  レール
１６  ダンパー
１７  前進レバー
１８  アジャストスクリュー
１８ａ  高さ調整ねじ
１９  操作スイッチ
２０  モータ
２１  ベルト駆動機構
２２ａ  駆動プーリ
２２ｂ  従動プーリ
２３  タイミングベルト
２４  摺動部材
２５、２６  リミットスイッチ
２７  制御部
２８  リンク機構
２９  移動体
３０ａ  可動リンク
３０ｂ  固定リンク
３１  巻取りロール
３２  カバー
３３  ガイドローラ
３４  手摺り
３５  送信部
３６  受信部
３７  手前側スライド板
３８  奥側スライド板
３９  ヒンジ
４０  折曲げガイド
４１  連結板
【図１】
2006141691.tif 000003
【図２】
2006141691.tif 000004
【図３】
2006141691.tif 000005
【図４】
2006141691.tif 000006
【図５】
2006141691.tif 000007
【図６】
2006141691.tif 000008
【図７】
2006141691.tif 000009
【図８】
2006141691.tif 000010
【図９】
2006141691.tif 000011
【図１０】
2006141691.tif 000012
【図１１】
2006141691.tif 000013
【図１２】
2006141691.tif 000014